(57)【要約】【課題】  サージングを回避する際に用いるホットガスバイパスの使用期間を可及的に限定することにより、効率向上を実現したターボ冷凍機を提供する。【解決手段】  ターボ圧縮機の吸込冷媒流量の低下に伴いターボ圧縮機のサージングが発生するおそれのあるサージコントロールラインＬ２よりも低い吸込冷媒流量以下では入口ベーンの開度を最小値として固定するとともに、ホットガスバイパス弁を開き、入口ベーンの開度の最小値を、ターボ圧縮機の圧縮比に基づいて変化させることを特徴とする。【選択図】      図２
2007212040.tif 000002
【特許請求の範囲】
【請求項１】
冷媒を圧縮するターボ圧縮機へ流入する該冷媒の流量を調整する吸込冷媒流量調整手段の開度と、
前記ターボ圧縮機の吐出側と吸込側とをバイパスする前記冷媒の流量を調整するホットガスバイパス調整手段の開度と、
を制御するターボ冷凍機の制御装置であって、
前記ターボ圧縮機の吸込冷媒流量の低下に伴い該ターボ圧縮機のサージングが発生するおそれのあるサージング領域よりも低い吸込冷媒流量以下では、前記吸込冷媒流量調整手段の開度を最小値として固定するとともに、前記ホットガスバイパス調整手段を開き、
前記吸込冷媒流量調整手段の前記最小値を、前記ターボ圧縮機の吐出圧力または圧縮比に基づいて変化させることを特徴とするターボ冷凍機の制御装置。
【請求項２】
請求項１記載のターボ冷凍機の制御装置を備えていることを特徴とするターボ冷凍機。
【請求項３】
冷媒を圧縮するターボ圧縮機へ流入する該冷媒の流量を調整する吸込冷媒流量調整手段の開度と、
前記ターボ圧縮機の吐出側と吸込側とをバイパスする前記冷媒の流量を調整するホットガスバイパス調整手段の開度
を制御するターボ冷凍機の制御方法であって、
前記ターボ圧縮機の吸込冷媒流量の低下に伴い該ターボ圧縮機のサージングが発生するおそれのあるサージング領域よりも低い吸込冷媒流量以下では、前記吸込冷媒流量調整手段の開度を最小値として固定するとともに、前記ホットガスバイパス調整手段の開度を開き、
前記吸込冷媒流量調整手段の前記最小値を、前記ターボ圧縮機の吐出圧力または圧縮比
に基づいて連続的に変化させることを特徴とするターボ冷凍機の制御方法。
【発明の詳細な説明】
【技術分野】
【０００１】
本発明は、ターボ冷凍機およびその制御方法に関するものである。
【背景技術】
【０００２】
一般に、地域冷暖房やプロセス冷却などに用いられる冷凍機として、ターボ冷凍機が知られている。このターボ冷凍機は、冷媒を圧縮するためのターボ圧縮機を備えており、このターボ圧縮機は空力回転機械なので、吸込冷媒流量の低下に伴いサージングが発生する。このサージングを防止する方法として、以下の特許文献１が知られている。
【０００３】
【特許文献１】特開平８−２８９７５号公報
【発明の開示】
【発明が解決しようとする課題】
【０００４】
特許文献１には、サージングを回避するためホットガスバイパスを使用する際に、冷却水の温度に応じてホットガスバイパスの流量変化を異ならせることにより、ホットガスバイパスの流量を最小化して、ターボ冷凍機の効率低下を防ぐ技術が開示されている。
しかし、同特許文献１の図２を参照すれば明らかなように、ホットガスバイパス弁を開く際の吸込ベーンの開度（同図の点Ｂに相当）が一定とされているため、どのような冷却水温度であってもホットガスをバイパスし始める吸込ベーン開度が一定とされる。ホットガスバイパスは冷凍に寄与しないホットガスをターボ圧縮機の吸込側にバイパスするものなので、ターボ冷凍機の効率向上の観点からは、ホットガスバイパスの使用期間は可能な限り限定した方が好ましい。したがって、同特許文献に記載された技術にはさらに改善の余地がある。
【０００５】
本発明は、このような事情に鑑みてなされたものであって、サージングを回避する際に用いるホットガスバイパスの使用期間を可及的に限定することにより、効率向上を実現するターボ冷凍機およびその制御方法を提供することを目的とする。
【課題を解決するための手段】
【０００６】
上記課題を解決するために、本発明のターボ冷凍機およびその制御方法は以下の手段を採用する。
すなわち、本発明にかかるターボ冷凍機の制御装置は、冷媒を圧縮するターボ圧縮機へ流入する該冷媒の流量を調整する吸込冷媒流量調整手段の開度と、前記ターボ圧縮機の吐出側と吸込側とをバイパスする前記冷媒の流量を調整するホットガスバイパス調整手段の開度を制御するターボ冷凍機の制御装置であって、前記ターボ圧縮機の吸込冷媒流量の低下に伴い該ターボ圧縮機のサージングが発生するおそれのあるサージング領域よりも低い吸込冷媒流量以下では、前記吸込冷媒流量調整手段の開度を最小値として固定するとともに、前記ホットガスバイパス調整手段を開き、前記吸込冷媒流量調整手段の前記最小値を、前記ターボ圧縮機の吐出圧力または圧縮比に基づいて連続的に変化させることを特徴とする。
【０００７】
ターボ冷凍機の負荷の低下に伴い、制御装置の指令により吸込冷媒流量調整手段の開度が絞られ、ターボ圧縮機の吸込冷媒流量が減少させられる。吸込冷媒流量が減少すると、回転空力機械であるターボ圧縮機ではサージングが発生する。このサージングを防ぐために、サージングが発生するおそれのある吸込冷媒流量調整手段の開度の最小値を設定しておき、この最小値に到達すると、ホットガスバイパス調整手段を開き、ホットガス（吐出ガス）をターボ圧縮機の吸込側にバイパスさせて、サージングを引き起こさない程度の吸込冷媒流量を確保する。このホットガスバイパスは、冷凍に寄与しないので、ターボ冷凍機の効率を低下させる。したがって、ホットガスバイパスの使用期間は可能な限り限定した方が好ましい。
本態様にかかる発明では、吸込冷媒流量調整手段の最小値を、ターボ圧縮機の吐出圧力または圧縮比に基づいて変化させることとした。これにより、ホットガスバイパス調整手段の使用期間を限定的にすることができる。
具体的には、吐出圧力または圧縮比が小さいほど、サージングが発生する吸込流量が小さくなる傾向にあるので、吸込冷媒流量調整手段の最小値は、吐出圧力または圧縮比に比例して設定される。例えば、吐出圧力または圧縮比が小さいほど最小値は小さく設定される。これにより、吐出圧力または圧縮比が比較的小さい場合は、吐出圧力または圧縮比が大きい場合に比べて、吸込冷媒流量調整手段の最小値が小さく設定され、吐出圧力または圧縮比が小さい方が、大きい方よりもホットガスが流されるタイミングが遅れることになるので、ホットガスバイパスの使用期間を短くすることができる。
【０００８】
また、上記ターボ冷凍機の制御装置を備えたターボ冷凍機によれば、ホットガスバイパスの使用期間を限定できるので、比較的効率の高い冷凍機を実現することができる。
【０００９】
また、本発明のターボ冷凍機の制御方法は、冷媒を圧縮するターボ圧縮機へ流入する該冷媒の流量を調整する吸込冷媒流量調整手段の開度と、前記ターボ圧縮機の吐出側と吸込側とをバイパスする前記冷媒の流量を調整するホットガスバイパス調整手段の開度と、を制御するターボ冷凍機の制御方法であって、前記ターボ圧縮機の吸込冷媒流量の低下に伴い該ターボ圧縮機のサージングが発生するおそれのあるサージング領域よりも低い吸込冷媒流量以下では、前記吸込冷媒流量調整手段の開度を最小値として固定するとともに、前記ホットガスバイパス調整手段の開度を開き、前記吸込冷媒流量調整手段の前記最小値を、前記ターボ圧縮機の吐出圧力または圧縮比に基づいて連続的に変化させることを特徴とする。
【００１０】
ターボ冷凍機の負荷の低下に伴い、制御装置の指令により吸込冷媒流量調整手段の開度が絞られ、ターボ圧縮機の吸込冷媒流量が減少させられる。吸込冷媒流量が減少すると、回転空力機械であるターボ圧縮機ではサージングが発生する。このサージングを防ぐために、サージングが発生するおそれのある吸込冷媒流量調整手段の開度の最小値を設定しておき、この最小値に到達すると、ホットガスバイパス調整手段を開き、ホットガスをターボ圧縮機の吸込側にバイパスさせて、サージングを引き起こさない程度の吸込冷媒流量を確保する。このホットガスバイパスは、冷凍に寄与しないので、ターボ冷凍機の効率を低下させる。したがって、ホットガスバイパスの使用期間は可能な限り限定した方が好ましい。
本態様にかかる発明では、吸込冷媒流量調整手段の最小値を、ターボ圧縮機の吐出圧力または圧縮比に基づいて連続的に変化させることとした。これにより、ホットガスバイパス調整手段の使用期間を限定的にすることができる。
具体的には、吐出圧力または圧縮比が小さいほど、サージングが発生する吸込流量が小さくなる傾向にあるので、吸込冷媒流量調整手段の最小値は、吐出圧力または圧縮比に比例して設定される。例えば、吐出圧力または圧縮比が小さいほど最小値は小さく設定される。これにより、吐出圧力または圧縮比が比較的小さい場合は、吐出圧力または圧縮比が大きい場合に比べて、吸込冷媒流量調整手段の最小値が小さく設定され、吐出圧力または圧縮比が小さい方が、大きい方よりもホットガスが流されるタイミングが遅れることになるので、ホットガスバイパスの使用期間を短くすることができる。
【発明の効果】
【００１１】
圧縮機の吐出圧力または圧縮比に応じて、吸込冷媒流量調整手段の開度の最小値を変化させることとしたので、ホットガスバイパスを開始するタイミングを遅らせて、その使用期間を可及的に限定することができる。これにより、ターボ冷凍機の効率向上を実現することができる。
【発明を実施するための最良の形態】
【００１２】
以下に、本発明にかかる実施形態について、図面を参照して説明する。
図１には、ターボ圧縮機を用いたターボ冷凍機１の概略構成図が示されている。同図に示されたターボ冷凍機１は、３段圧縮３段膨張のサイクルを構成している。
【００１３】
ターボ冷凍機１は、冷媒を圧縮するターボ圧縮機３と、外気である空気と冷媒が熱交換する凝縮器５と、冷水（熱媒）が流れる冷水管１１が接続された蒸発器６と、凝縮器５と蒸発器６との間に設けられたエコノマイザ７とを備えている。
凝縮器５とエコノマイザ７との間には、凝縮器５から流出した冷媒の液分を貯留するレシーバ１３が設けられている。
エコノマイザ７は、仕切壁７ａによって２部屋に分割されており、各部屋は冷媒配管７ｂによって接続されている。この冷媒配管７ｂには、液冷媒を絞る第３膨張弁７ｃが設けられている。
エコノマイザ７とレシーバ１３との間の冷媒配管には第１膨張弁９が、エコノマイザ７と蒸発器６との間の冷媒配管には第２膨張弁１０が、それぞれ設けられている。
【００１４】
ターボ圧縮機３は、高い圧力比が得られる遠心圧縮機となっている。ターボ圧縮機３は、軸線周りに回転する羽根車を備えている。ターボ圧縮機３の吸込側の配管には、吸込冷媒圧力Ｐ０を計測する吸込圧力センサ３ａが設けられており、ターボ圧縮機３の吐出側の配管には、吐出冷媒圧力Ｐ１を計測する吐出圧力センサ３ｂが設けられている。各圧力センサ３ａ，３ｂの出力は、制御部（ターボ冷凍機の制御装置）１６へと伝送される。制御部１６では、これらの圧力値に基づいて、圧縮比（＝Ｐ１／Ｐ０）が演算される。
羽根車の冷媒流れ上流側には、流入する冷媒の流量を調節する入口ベーン（吸込冷媒量調整手段，ＩＧＶ）１５が設けられている。この入口ベーン１５は、制御部１６によって制御される入口ベーン駆動部１５ａによって開度が変更されるようになっており、これにより流入する冷媒流量が調節される。
【００１５】
凝縮器５は、例えば、チューブにフィンが取り付けられたフィン・アンド・チューブ式の熱交換器とされており、チューブ内を冷媒が流通するようになっている。そして、凝縮器５の上方には、ファンが設けられており、このファンによってチューブ及びフィン周りを流れる空気の流れを促進し、熱交換を向上させるようになっている。
【００１６】
蒸発器６は、例えば、シェル・アンド・チューブ式の熱交換器とされている。蒸発器６には、冷水管１１が接続されており、この冷水管１１内を流れる水とシェル内の冷媒とが熱交換を行う。冷水管１１は、室内機等の外部負荷と接続されている。冷水管１１の下流側には熱交換後の流出水温度Ｔ１を計測する流出水温度センサ１７が設けられている。流出水温度センサ１７の出力は、制御部１６へと伝送される。
【００１７】
エコノマイザ７は、凝縮器５と蒸発器６との間に設けられ、内部に凝縮した液冷媒が貯留される容器となっている。
エコノマイザ７には、ターボ圧縮機３の中間段との間に、２つの中間圧冷媒配管７ｄ，７ｅが接続されている。中間圧冷媒配管７ｄ，７ｅの下端（冷媒流れの上流端）は、エコノマイザ７内の各部屋の上方空間に位置しており、エコノマイザ７内のガス冷媒を吸い込むようになっている。各中間圧冷媒配管７ｄ，７ｅには、ターボ圧縮機停止時に流れるガス冷媒の流量を遮断するためのバルブ７ｆ，７ｇが設けられている。
エコノマイザ７では、凝縮器５からの高圧液冷媒が蒸発するようになっており、この蒸発潜熱によって中間圧冷媒配管７ｄ，７ｅを介してターボ圧縮機３の各中間段へと導かれるガス冷媒が冷却される。そして、このように冷却されて飽和温度付近とされたガス冷媒は、ターボ圧縮機３において低圧から中間段まで圧縮されたガス冷媒と混合され、中間段から圧縮されるガス冷媒を冷却している。
【００１８】
第１膨張弁９は、凝縮器５とエコノマイザ７との間に設けられており、液冷媒を絞ることによって等エンタルピー膨張させるものである。
第２膨張弁１０は、蒸発器６とエコノマイザ７との間に設けられており、液冷媒を絞ることによって等エンタルピー膨張させるものである
【００１９】
ターボ圧縮機３の吐出側と蒸発器６との間には、ホットガスバイパス管１４ａが設けられている。ホットガスバイパス管１４ａには、冷媒流量を調整するためのホットガスバイパス弁（ホットガスバイパス調整手段）１４が設けられている。このホットガスバイパス弁１４によって流量が調整された高温高圧の吐出冷媒が、蒸発器６へと導かれ、ターボ圧縮機３の吸込側へとバイパスされるようになっている。ホットガスバイパス弁１４の開度は、制御部１６によって調整される。
【００２０】
制御部１６は、ターボ冷凍機１の制御盤内の制御基板に設けられており、ＣＰＵおよびメモリを備えている。制御部では、吸込冷媒圧力、冷水出口温度に基づき、入口ベーン１５の開度の制御量が算出され、入口ベーン１５を制御するようになっている。
【００２１】
次に、上記構成のターボ冷凍機１の動作について説明する。
ターボ圧縮機３は、図示しない電動機によって駆動され、所定周波数で回転させられる。入口ベーン１５は、制御部１６により、設定温度（例えば、流出水温度７℃）を達成するようにその開度が調整されている。ターボ圧縮機３によって吸い込まれるガス冷媒の圧力Ｐ０は、吸込圧力センサ３ａによって検出され、制御部１６へと伝送される。
【００２２】
蒸発器６から吸い込まれた低圧ガス冷媒は、ターボ圧縮機３によって圧縮され、第１中間圧まで圧縮される。第１中間圧まで圧縮されたガス冷媒は、第１中間圧冷媒配管７ｄから流入する中間圧ガス冷媒によって冷却される。中間圧ガス冷媒によって冷却された第１中間圧のガス冷媒は、ターボ圧縮機３によって更に圧縮され、第２中間圧まで圧縮される。第２中間圧まで圧縮されたガス冷媒は、第２中間圧冷媒配管７ｅから流入する中間圧ガス冷媒によって冷却される。第２中間圧冷媒配管７ｅからの中間圧ガス冷媒によって冷却されたガス冷媒は、ターボ圧縮機３によって更に圧縮され高圧ガス冷媒となる。
ターボ圧縮機３から吐出された高圧ガス冷媒は、凝縮器５へと導かれる、このときの高圧ガスの圧力Ｐ１は、吐出圧力センサ３ｂによって検出され、制御部１６へと伝送される。
凝縮器５において、高温高圧のガス冷媒は略等圧的に凝縮し、高圧低温の液冷媒となる。
【００２３】
凝縮器５において高圧低温とされた液冷媒は、レシーバ１３へと導かれた後、第１膨張弁９へと導かれ、この第１膨張弁９によって等エンタルピー的に中間圧まで膨張させられる。中間圧まで膨張させられた冷媒は、エコノマイザ７へと導かれる。エコノマイザ７において、一部の冷媒は蒸発し、中間圧冷媒配管７ｄ，７ｅを介してターボ圧縮機３の中間段へと導かれる。エコノマイザ７において蒸発せずに凝縮したままの液冷媒は、エコノマイザ７内に貯留される。エコノマイザ７内に貯留された中間圧の液冷媒は、第２膨張弁１０へと導かれる。中間圧の液冷媒は、第２膨張弁１０によって等エンタルピー的に低圧まで膨張させられる。
低圧まで膨張させられた冷媒は、蒸発器６において蒸発する。この蒸発熱によって冷水管１１内の冷水が冷却される。冷却された冷水の温度は、流出水温度センサ１７によって検出され、制御部１６へと伝送される。
蒸発器６において蒸発した低圧ガス冷媒は、ターボ圧縮機３の吸込側へと導かれ、再び圧縮される。
【００２４】
ターボ圧縮機３から吐出された高温高圧のガス冷媒は、その一部がホットガスバイパス管１４ａを通りホットガスバイパス弁１４で冷媒流量が調整された後、蒸発器６へと導かれるようになっている。これにより、ターボ圧縮機３の吸込流量が少ない低風量におけるターボ圧縮機３のサージングを回避するようになっている。
【００２５】
ターボ圧縮機３の冷媒吸込流量が少ない低風量時における運転は、以下のように行われる。
図２には、ターボ圧縮機３の吸込流量に対するターボ圧縮機３の圧縮比（＝Ｐ１／Ｐ０）が示されている。
同図に示すように、ターボ圧縮機３がサージングを起こすサージラインＬ１は、圧縮比が低くなるほど、吸込流量は小さい値を示す。また、入口ベーン（ＩＧＶ）１５の開度が小さいほど、サージラインＬ１との交点は低い吸込流量側へと移動する。すなわち、入口ベーン１５の開度を小さくすることにより、低風量側でのサージングを回避できる。
ターボ圧縮機３の制御としては、サージラインＬ１から約１０％程度のマージンを取ったサージコントロールライン（サージング領域）Ｌ２を超えないように制御する。具体的には、ターボ圧縮機３の吸込流量が小さくなって行くに従い入口ベーン１５の開度を絞って、サージングが発生する最小吸込流量を小さくする。そして、入口ベーン１５の開度が最小値になり、さらに吸込流量が小さくなる傾向にあるときは、閉じていたホットガスバイパス弁１４を開き、サージングが発生する最小吸込流量を実際の吸込流量が下回らないように調整する。
【００２６】
本実施形態では、ホットガスバイパス弁１４を開き始めるタイミングは、入口ベーン１５の開度の最小値（最小開度）によって決定され、この最小開度は以下のように設定されている。
圧縮比が小さいほど、入口ベーン１５の最小開度を小さくするようにする。つまり、圧縮比が小さいほどサージコントロールラインＬ２との交点が低い吸込流量側に移動するので、入口ベーン１５の最小開度を小さく設定できるからである。
具体的には、季節要因として、夏場のように負荷が高く圧縮比が大きい場合には、この圧縮比を示す等圧縮比線Ｌ３とサージコントロールラインＬ２との交点であるＡ点を通る入口ベーン１５の開度（ＩＧＶ  ６０％）を最小値とする。
一方、冬場のように負荷が低く圧縮比が小さい場合には、この圧縮比を示す等圧縮比線Ｌ４とサージコントロールラインＬ２との交点であるＢ点を通る入口ベーン１５の開度（ＩＧＶ  ２０％）を最小値とする。
【００２７】
図３には、制御部１６の出力信号に対する入口ベーン１５及びホットガスバイパス弁１４の開度の関係が示されている。同図に示すように、実線Ｌ５が夏場のように圧縮比が高い状態における入口ベーン開度を示し、二点鎖線Ｌ６が冬場のように圧縮比が低い状態における入口ベーン開度を示す。また、破線Ｌ７が夏場のように圧縮比が高い状態におけるホットガスバイパス弁開度を示し、一点鎖線Ｌ８が冬場のように圧縮比が低い状態におけるホットガスバイパス弁開度を示す。
【００２８】
制御部１６からの出力信号は、高いほど高負荷を示し、低いほど低負荷を示す。
圧縮比が高い場合には、実線Ｌ５に示すように、入口ベーン１５の開度は、制御部１６からの出力信号が低下するに伴い一次関数的に低下し、最小値である６０％（図２のＡ点参照）に到達する。最小値に到達すると、これ以上制御部１６からの出力信号が低下しても最小値である６０％を維持し続ける。入口ベーン１５の開度が最小値に到達すると、サージングを引き起こさない程度の吸込冷媒流量を確保するために、破線Ｌ７に示すように、ホットガスバイパス弁１４が閉じた状態から開き、制御部１６からの出力信号が低下するに伴い、漸次その開度が増加するようになっている。
【００２９】
一方、圧縮比が低い場合には、二点鎖線Ｌ６に示すように、入口ベーン１５の開度は、制御部１６からの出力信号が低下するに伴い一次関数的に低下し、最小値である２０％（図２のＢ点参照）まで到達する。最小値に到達すると、これ以上制御部１６からの出力信号が低下しても最小値である２０％を維持し続ける。入口ベーン１５の開度が最小値に到達すると、サージングを引き起こさない程度の吸込冷媒流量を確保するために、一点鎖線Ｌ８に示すように、ホットガスバイパス弁１４が閉じた状態から開き、制御部１６からの出力信号が低下するに伴い、漸次その開度が増加するようになっている。
【００３０】
圧縮比が高い場合の入口ベーン１５の開度と、圧縮比が低い場合の入口ベーンの１５開度とを比較すると分かるように、入口ベーン１５の最小開度は、圧縮比に比例して連続的に変化させられるようになっている。
このように、本実施形態によれば、入口ベーン１５の最小開度を圧縮比に比例して変化させ、サージングコントロールラインＬ２（図２参照）との関係で入口ベーン１５の最小開度を決定することとした。これにより、冷凍に寄与しないホットガスをターボ圧縮機３の吸込側にバイパスさせるホットガスバイパスの使用期間を可及的に限定することができ、ターボ冷凍機１の性能の向上を図ることができる。
つまり、特許文献１に示された技術のように、圧縮比にかかわらず入口ベーン１５の最小開度を一定とした場合に比べて、低圧縮比側ではホットガスバイパスの使用を控えることができるので、ターボ冷凍機１の性能向上を図ることができる。
【００３１】
なお、本実施形態では、圧縮比に応じて入口ベーン１５の最小開度を変更することとしたが、吐出圧力Ｐ１を用いて入口ベーン１５の最小開度を変更することとしても良い。
また、冷房運転時について説明したが、ヒートポンプ運転を行う暖房運転時についても採用することができる。更にプロセスガス成分の変動（閉ループ冷凍機システムでは起こりにくいが）による圧縮比の変動においても同様に運転条件に応じて変えることができる。
【図面の簡単な説明】
【００３２】
【図１】本発明の実施形態にかかるターボ冷凍機の概略を示した構成図である。
【図２】図１に示したターボ圧縮機の吸込流量と圧縮比との関係を示したグラフである。
【図３】制御部の出力に対する入口ベーン開度およびホットガスバイパス弁開度を示したグラフである。
【符号の説明】
【００３３】
１  ターボ冷凍機
３  ターボ圧縮機
１４  ホットガスバイパス弁（ホットガスバイパス調整手段）
１５  入口ベーン（吸込冷媒流量調整手段）
１６  制御部（ターボ冷凍機の制御装置）
【図１】
2007212040.tif 000003
【図２】
2007212040.tif 000004
【図３】
2007212040.tif 000005